(57)【特許請求の範囲】
【請求項１】
座席部の後方側に配置されて、通常位置とこの通常位置よりも後方に倒れた傾斜位置とに移動可能なバックレストと、座席部の下方側となる後退位置と座席部よりも前方側となる前進位置とに移動可能なオットマンとを備えたリクライニングチェアにおいて、上記バックレストが通常位置から最終傾斜位置間において上記バックレストとオットマンとが相互に連動する連動状態とバックレストの通常位置から最終傾斜位置でバックレストとオットマンとの連動状態が解除されてオットマンを突出位置で固定する固定状態とに切り換えする切換手段を有する接続手段を設け、
上記接続手段は、上記バックレストの近接位置に配置されて該バックレストと一体的に連結されて同じ移動方向に揺動可能な連結部材と、この連結部材と上記オットマンとにわたって設けられる第一リンク機構とこれと接離可能に設けられる第二リンク機構とを備え、上記切換手段は、オットマンが突出位置にあるときに、第二リンク機構を駆動しないようにロックして、第一リンク機構と第二リンク機構との連動状態を解除できるようにするロック機構と、このロック機構による第一リンク機構と第二リンク機構との非連動状態をバックレストの通常位置から最終傾斜位置間で解除して連繋させる操作レバーとから構成されており、
上記オットマンは、バックレストの通常位置から最終傾斜位置間で操作レバーを手動操作して、突出位置に移動させることができるようにすることを特徴とするリクライニングチェア。
【発明の詳細な説明】
【０００１】
【発明の属する技術分野】
本発明は、オットマンを有するリクライニングチェアに関し、より詳しくは、バックレストの傾動動作に伴いオットマンが連動するリクライニングチェアに関するものである。
【０００２】
【従来の技術】
従来より、座席部の後方側に配置されて、通常位置とこの通常位置よりも後方に倒れた傾斜位置との間で傾動動作可能なバックレストと、座席部の下方側となる後退位置と座席部よりも前方側となる前進位置との間で進退動作可能なオットマンとを備えたリクライニングチェアが知られている。
【０００３】
この種のリクライニングチェアは、バックレストを後方に倒すとオットマンも前方に進出する。逆に、バックレストを元の通常位置に復帰させると、それに連動してオットマンも元の後退位置に後退する。
【０００４】
ところが、このようにバックレストとオットマンとが常に連動していると、オットマンの進退位置は、バックレストの傾斜位置により常に決定してしまい、着座姿勢が強制されて自由な姿勢での使用ができないという問題が生じていた。
【０００５】
そこで、このような不具合を解消するべく、特許第２６４３８４４号の特許公報に記載されているように、バックレストとオットマンとが連動する連動状態と、バックレストとオットマンとの連動状態が解除される非連動状態とに選択的に切り換え可能な接続手段を設け、バックレストの通常位置において、非連動状態と連動状態との切り換えを可能とするものが考え出されている。
【０００６】
しかしながら、このものは、バックレストの位置に関わらず、連動状態と非連動状態とを切り換えできるものではないので、使い勝手が良いとは言い難い。
【０００７】
【発明が解決しよとする課題】
そこで、本発明のリクライニングチェアは、バックレストの位置に関わらず、オットマンとの連動状態を解除してオットマンを突出位置に移動できるようにすることを目的としている。
【０００８】
すなわち、バックレストが通常位置から最終傾斜位置間において上記バックレストとオットマンとが相互に連動する連動状態とバックレストの通常位置から最終傾斜位置でバックレストとオットマンとの連動状態を解除してオットマンを突出位置で固定する固定状態とに切り換えする切換手段を有する接続手段を設けることにより、比較的使い勝手の良いリクライニングチェアを提供しようとするものである。
【０００９】
【課題を解決するための手段】
すなわち、本発明のリクライニングチェアは、座席部の後方側に配置されて、通常位置とこの通常位置よりも後方に倒れた傾斜位置とに移動可能なバックレストと、座席部の下方側となる後退位置と座席部よりも前方側となる前進位置とに移動可能なオットマンとを備えたリクライニングチェアにおいて、上記バックレストが通常位置から最終傾斜位置間において上記バックレストとオットマンとが相互に連動する連動状態と、バックレストの通常位置から最終傾斜位置でバックレストとオットマンとの連動状態を解除してオットマンを突出位置で固定する固定状態とに切り換えする切換手段を有する接続手段を設け、上記接続手段は、上記バックレストの近接位置に配置されて該バックレストと一体的に連結されて同じ移動方向に揺動可能な連結部材と、この連結部材と上記オットマンとにわたって設けられる第一リンク機構とこれと接離可能に設けられる第二リンク機構とを備え、上記切換手段は、オットマンが突出位置にあるときに、第二リンク機構を駆動しないようにロックして、第一リンク機構と第二リンク機構との連動状態を解除できるようにするロック機構と、このロック機構による第一リンク機構と第二リンク機構との非連動状態をバックレストの通常位置から最終傾斜位置間で解除して連繋させる操作レバーとから構成されており、上記オットマンは、バックレストの通常位置から最終傾斜位置間で操作レバーを手動操作して、突出位置に移動させることができるようにすることを特徴としている。
【００１０】
このようなものであれば、バックレストの位置に関わらず、オットマンとバックレストが連動する連動状態と、オットマンを突出位置で固定したままバックレストを傾動させることができる固定状態とを切り換えることができるようになるので、比較的使い勝手の良いリクライニングチェアを提供できるようになる。
【００１３】
【発明の実施の形態】
次に本発明の実施の形態を、図面を参照して説明する。
【００１４】
図１に示すリクライニングチェア１は、着座することができる座席部１１と、この座席部１１の後端部に配置されもたれることができるバックレスト１２と、前記座席部１１の前端部に配置され足を載せ置くことができるオットマン１３とを具備するものである。座席部１１は、図示しない脚要素により下方から支持したものである。バックレスト１２は、通常位置Ｒとこの通常位置Ｒよりも後方に倒れた（最終）傾斜位置Ｓとの間で前後に傾動動作が行えるように、その下端部を図示しない脚要素により支持したものである。オットマン１３は、座席部１１よりも前方側となる前進位置Ｍと、座席部１１の下方側となる後退位置Ｎとの間で進退動作が行えるように、その上端部を、軸Ｗを介して座席部１１に回動可能に取り付けたものである。そして、特に本実施の形態においては、前記オットマン１３を、着座者の足の付け根側からつま先側に向かって形成した凹部１３１を幅方向に沿って２つ備えたものとしている。
【００１５】
そして、本実施の形態においては、以下に説明する接続手段２を備えたものとしている。
【００１６】
すなわち、この接続手段２は、上記バックレスト１２に一体的に連結されバックレスト１２の傾動方向と同方向に揺動する連結部材２１と、この連結部材２１と上記オットマン１３とにわたって設けられた第一リンク機構２２および第二リンク機構２３と、バックレスト１１とオットマン１３とが相互に連動する連動状態とこの連動状態が解除されてオットマン１３を後述する突出位置Ｈで固定する固定状態とを切り換え可能にする切換手段２４とを備えている。
【００１７】
連結部材２１は、バックレスト１２の左側部に取り付けた縦長の薄板であり、その下端部をバックレスト１２の下端部から下方に突出させたものである。そして、バックレスト１２の傾動動作を第一リンク機構２２に伝達する役割を果す。
【００１８】
第一リンク機構２２は、連結部材２１の揺動動作を、第二リンク機構２３に伝達することができるものであり、リンク要素Ａとリンク要素Ｂとを具備する。リンク要素Ａは、その後端部を連結部材２１に軸Ｇを介して枢着したものであり、バックレスト１２の傾動動作に伴い、連結部材２１とともに前後に揺動するようになっている。一方、リンク要素Ｂは、その前端部をリンク要素Ａの前端部に枢着するとともに、後端部を水平軸２４１を介して座席部１１に枢着したものであり、リンク要素Ａの揺動に伴い回動してその前端部が上下動するようになっている。
【００１９】
第二リンク機構２３は、その駆動により、オットマン１３を後側から押し引きし、オットマン１３を進退させることができるものであり、リンク要素Ｃとリンク要素Ｄとを具備する。リンク要素Ｃは、その後端部を水平軸２４１を介して座席部１１に枢着したものである。そして、このリンク要素Ｃは、図１及び図３に示すように、第一リンク機構２２の駆動に連動して、オットマン１３を後退位置Ｎに位置させる下側位置Ｑと、オットマン１３を前進位置Ｍに位置させる上側位置Ｐとの間で回動するようにしてある。一方、リンク要素Ｄは、その後端部をリンク要素Ｃの前端部に枢着するとともに、その前端部をオットマン１３の背面側にブラケットＢＲを介して枢着したものであり、リンク要素Ｃの回動に伴い前後に揺動するようになっている。
【００２０】
切換手段２４は、前記第一リンク機構２２と第二リンク機構２３との間に介在して第一リンク機構２２と第二リンク機構２３とを接離可能に連結する連結手段２５と、バックレストの通常位置Ｒから最終傾斜位置Ｓ間で、第二リンク機構２３を駆動しないようにロックして、第一リンク機構２２と第二リンク機構２３との連動状態を解除してオットマン１３を突出位置Ｈに保持させることができるようにするロック機構２６と、このロック機構２６による第一リンク機構２２と第二リンク機構２３との非連動状態をバックレストの通常位置Ｒから（最終）傾斜位置Ｓ間で解除して再度バックレストとオットマンが連動するよう連繋させ得る操作レバー２７とを備えている。
【００２１】
連結手段２５は、リンク要素Ｂに設けた係合部材２５１に係脱可能な被係合部材２５２を、リンク要素Ｃに設けてなるものである。特に、本実施の形態においては、リンク要素Ｃ側に開口する断面コ字形状の溝を係合部材２５１としてリンク要素Ｂに形成する一方、この溝にリンク要素Ｃ自体を係脱できるように該リンク要素Ｃの厚み寸法を設定し、リンク要素Ｃ自体が被係合部材２５２として機能するようにしてある。そして、リンク要素Ｂの前端部の上下動に伴い、前記係合部材（溝）２５１の底面が被係合部材２５２すなわちリンク要素Ｃを上下動させ、第二リンク機構２３が駆動するようにしてある。そして、図１、２及び３に示すように、バックレスト１２の通常位置Ｒと（最終）傾斜位置Ｓでの傾動動作に連動して、オットマン１３が後退位置Ｎと前進位置Ｍとの間で進退するようにしてある。
【００２２】
ロック機構２６は、リンク要素Ｃを前記上側位置Ｐより更に上方に回動した最上位置Ｊで固定できるようにするものであり、リンク要素Ｃと座席部１１との枢支点Ｘ１と、リンク要素Ｄとリンク要素Ｃとの枢支点Ｘ２と、リンク要素Ｄとオットマン１３との枢支点Ｘ３との全てが一直線上に並ぶ仮想思案線Ｙを上側位置Ｐと最上位置Ｊとの間に設定し、最上位置Ｊに位置したリンク要素Ｃに、オットマン１３の重量を利用して、その前端部側が上方に上昇するような回動力Ｆを与え、その一方で、この回動力Ｆによりリンク要素Ｃの上端部が更に上方へ上昇しないように例えばストッパ（図示せず）を設けてなる。すなわち、本実施の形態においては、リンク要素Ｃが最上位置Ｊにある時におけるオットマン１３の位置を突出位置Ｈとしている。
【００２３】
操作レバー２７は、リンク要素Ｃを最上位置Ｊと下側位置Ｑとの間で、手動で回動させることができるものであり、リンク要素Ｃに設けた側方に延びる作動アーム２７１と、この作動アーム２４１の延出端部から前方に延びる操作アーム２７２とから構成してある。そして、リンク要素Ｃが上側位置Ｐにある時すなわちオットマン１３が後退位置Ｎにあるときにおいて、操作アーム２７２は略鉛直な状態となり、リンク要素Ｃが下側位置Ｑにあるすなわちオットマン１３が前進位置Ｍにあるときにおいては、操作アーム２７２は略水平な状態となるようになっている。
【００２４】
次に、上述したリクライニングチェア１の使用方法につき説明する。
【００２５】
まず、連動状態から固定状態に切り換えたい場合には、図２に示すように、操作レバー２７を上方に引き起こせばよい。すると、リンク要素Ｃのみが上方に回動するので、該リンク要素Ｃは係合部材２５１から脱離することとなる。そして、操作レバー２７を更に引き起こしていくと、リンク要素Ｃが仮想思案線Ｙを下方から通過し、最上位置Ｊに位置することとなる。これにより、リンク要素Ｃには、オットマン１３の重量により、その前端部が上方に回動しようとする回動力Ｆが作用することとなる。この結果、リンク要素Ｃを最上位置Ｊで固定できるようになり、オットマン１３を突出位置Ｈで固定したまままでバックレスト１２を通常位置Ｒから傾斜位置Ｓとの間で傾動できる固定状態に切り換えることができることとなる。特に、本実施の形態においては、リンク要素Ｂを一の方向に回動させると、リンク要素Ｃを媒介節としてオットマン１３が上下に往復運動するテコクランク機構が形成されており、図３及び図５に示すように、前側位置Ｍと突出位置Ｈとにおけるオットマン１３の高さ位置は略一致するようにしてある。なお、これら高さ位置が一致したものに限られないのは言うまでもない。
【００２６】
逆に、この固定状態から連動状態に切り換えたい場合には、操作レバー２７を下方に押し下げればよい。すると、リンク要素Ｃのみが下方に回動して、仮想思案線Ｙを上方から通過する。そして、操作レバー２７を更に押し下げて、リンク要素Ｃを係合溝に係わり合わせると、再び連動状態に切り換えることができることとなる。
【００２７】
したがって、以上に説明したリクライニングチェア１であれば、バックレスト１２の位置に関わらず、オットマン１３との連動状態を解除してオットマン１３を突出位置Ｈに移動できるようになり、比較的使い勝手の良いリクライニングチェア１を提供できるようになる。また、別段の動力駆動源を設けない場合においても、この効果を奏するようになる。
【００２８】
なお、本発明は上述した実施の形態に限られるものではない。例えば、図６及び図７に示すように、連結手段２５を本実施の形態とは逆に、リンク要素Ｂ側に開口する溝を被係合部材２５２としてリンク要素Ｃに形成する一方、この溝にリンク要素Ｂ自体を係脱できるように該リンク要素Ｂの厚み寸法を設定し、リンク要素Ｂ自体が係合部材２５１として機能するようにしたものであってもよい。その他には、図８に示すように、リンク要素Ｃに被係合部材２５２として突出体を設け、この突出体に下方から当接することができる押し上げ部材をリンク要素Ｂに係合部材２５１として設けたものであってもよい。
【００２９】
また、バックレスト１２と座席部１１との間に、バックレスト１２を常に通常位置Ｒに付勢することができる弾性体等の復帰部材を設けてもよい。
【００３０】
更に言えば、リンク要素Ｃが下側位置Ｑ側から思案点Ｙを通過すると、必然的にオットマン１３の重量がカウンタバランスの役目を果し、該リンク要素Ｃを上側位置Ｐに位置するように回動付勢するようなものであってもよい。
【００３１】
その他、本発明は、上述した図示例に限られず、その趣旨を逸脱しない範囲内で種々変更可能である。
【００３２】
【発明の効果】
以上に詳述したように、本発明のリクライニングチェアによれば、バックレストの位置に関わらず、オットマンとの連動状態を解除してオットマンを突出位置に移動できるようになり、比較的使い勝手の良いリクライニングチェアを提供できるようになる。また、別段の動力駆動源を設けない場合においても、この効果を奏するようになる。
【図面の簡単な説明】
【図１】本発明における実施の形態のリクライニングチェアであり、連動状態において、バックレストが通常位置にあり、オットマンが後退位置にある状態を示す説明図。
【図２】同実施の形態におけるリクライニングチェアであり、操作レバーによりオットマンを前進させた状態を示す説明図。
【図３】同実施の形態におけるリクライニングチェアであり、連動状態において、オットマンを傾斜位置に位置させた状態を示す説明図。
【図４】同実施の形態におけるリクライニングチェアであり、連動状態において、バックレストを傾動させた状態を示す説明図。
【図５】同実施の形態におけるリクライニングチェアであり、操作レバーによりオットマンを突出位置に固定した固定状態を示す説明図。
【図６】同実施の形態におけるリクライニングチェアの変形例であり、連動状態において、バックレストが通常位置にあり、オットマンが後退位置にある状態を示す説明図。
【図７】同実施の形態におけるリクライニングチェアの変形例であり、操作レバーによりオットマンを前進させた状態を示す説明図。
【図８】同実施の形態におけるリクライニングチェアの変形例を示す要部説明図。
【符号の説明】
１…リクライニングチェア
２…接続手段
１１…座席部
１２…バックレスト
１３…オットマン
２１…連結部材
２２…第一リンク機構
２３…第二リンク機構
２４…切換手段
２６…ロック機構
２７…操作レバー
Ｍ…前進位置
Ｎ…後退位置
Ｈ…突出位置
Ｒ…通常位置
Ｓ…傾斜位置
【図１】
0004771190.tif 000002
【図２】
0004771190.tif 000003
【図３】
0004771190.tif 000004
【図４】
0004771190.tif 000005
【図５】
0004771190.tif 000006
【図６】
0004771190.tif 000007
【図７】
0004771190.tif 000008
【図８】
0004771190.tif 000009